(57)【要約】【課題】  ＰＣ部材を安全かつ確実に躯体側に引き寄せることができるＰＣ部材用吊り治具およびＰＣ部材の引き寄せ工法を提供することである。【解決手段】  ＰＣ部材用吊り治具１は、連結材２で平行に接合された湾曲状の吊りレール３には、ローラー９で移動するスライド部材４がスライド自在に取り付けられ、該スライド部材４にはワイヤー１２を引っ掛ける掛止片１３が設けられたものである。【選択図】図１
2005299221.tif 000002
【特許請求の範囲】
【請求項１】
連結材で平行に接合された湾曲状の吊りレールには、ローラーで移動するスライド部材がスライド自在に取り付けられ、該スライド部材にはワイヤーを引っ掛ける掛止片が設けられたことを特徴とするＰＣ部材用吊り治具。
【請求項２】
吊りレールには、スライド部材のスライドを緩衝する緩衝器と、スライド部材のスライドを停止させるストッパとが設置されたことを特徴とする請求項１に記載のＰＣ部材用吊り治具。
【請求項３】
吊りレールの先端部には、躯体に接合する接合板が設けられたことを特徴とする請求項１または２に記載のＰＣ部材用吊り治具。
【請求項４】
請求項１〜請求項３のいずれかのＰＣ部材用吊り治具を使用するものであり、ＰＣ部材をワイヤーでスライド部材に引っ掛けてクレーンで吊り上げるとともに、吊りレールの先端部を接合板で所定階の床板に回転自在に接合した後、吊りレールの後方側を上側に引き上げてスライド部材をスライドさせてＰＣ部材を躯体側に引き寄せることを特徴とするＰＣ部材の引き寄せ工法。
【発明の詳細な説明】
【技術分野】
【０００１】
本発明はＰＣ部材用吊り治具およびＰＣ部材の引き寄せ工法に関するものである。
【背景技術】
【０００２】
従来のＰＣ部材用吊り治具およびＰＣ部材の引き寄せ工法としては、例えば特開平５−３４６０６４号の発明が知られている。これは、下方に引込みワイヤーと牽引きワイヤーとを設けたＰＣ部材をクレーンで吊り上げた後、この引込みワイヤーと牽引きワイヤーとを利用してＰＣ部材を躯体側に引き寄せるものである。
【特許文献１】特開平５−３４６０６４号公報
【発明の開示】
【発明が解決しようとする課題】
【０００３】
しかし、上記のＰＣ部材の引き寄せ工法は、作業者が躯体から身を乗り出してＰＣ部材の引き寄せを行うため、危険な作業になっていた。
【０００４】
本発明は、上記のような問題に鑑みてなされたものであり、その目的は、ＰＣ部材を安全かつ確実に躯体側に引き寄せることができるＰＣ部材用吊り治具およびＰＣ部材の引き寄せ工法を提供することである。
【課題を解決するための手段】
【０００５】
以上の課題を解決するためのＰＣ部材用吊り治具は、連結材で平行に接合された湾曲状の吊りレールには、ローラーで移動するスライド部材がスライド自在に取り付けられ、該スライド部材にはワイヤーを引っ掛ける掛止片が設けられたことを特徴とする。また吊りレールには、スライド部材のスライドを緩衝する緩衝器と、スライド部材のスライドを停止させるストッパとが設置されたことを含む。また吊りレールの先端部には、躯体に接合する接合板が設けられたことを含むものである。
【０００６】
またＰＣ部材の引き寄せ工法は、請求項１〜請求項３のいずれかのＰＣ部材用吊り治具を使用するものであり、ＰＣ部材をワイヤーでスライド部材に引っ掛けてクレーンで吊り上げるとともに、吊りレールの先端部を接合板で所定階の床板に回転自在に接合した後、吊りレールの後方側を上側に引き上げてスライド部材をライドさせてＰＣ部材を躯体側に引き寄せることを特徴とする。
【発明の効果】
【０００７】
ＰＣ部材用吊り治具が湾曲状の吊りレールで形成されているため、カウンターウエイトなどを必要とせず、軽量で揚重効率の向上を図ることができる。ＰＣ部材の移動に機械的な手段を必要としないため、ＰＣ部材用吊り治具が簡単な構成になる。スライドレールが湾曲しているため、ＰＣ部材を躯体側に安全でかつ円滑に引き寄せすることができる。
【発明を実施するための最良の形態】
【０００８】
以下、本発明のＰＣ部材用吊り治具（以下吊り治具という）およびＰＣ部材の引き寄せ工法の実施の形態を図面に基づいて説明する。はじめに、吊り治具について説明し、その後、この吊り治具を使用した引き寄せ工法について説明するが、各実施の形態において同じ構成は同じ符号を付して説明し、異なった構成にのみ異なった符号を付して説明する。
【０００９】
図１は、本発明の吊り治具１を示したものであり、連結材２で平行に接続された吊りレール３と、この吊りレール３にスライド自在に取り付けられたスライド部材４とから構成されている。この吊りレール３は断面Ｈ形であり、弓状に湾曲され、連結材２に取り付けられた吊りワイヤー５でクレーンのフック６に引っ掛けられるようになっている。
【００１０】
図２に示すように、スライド部材４の枠体７の両側壁８には、二つのローラー９が取り付けられ、該ローラー９が吊りレール３の下側のフランジ１０に設置されて、吊りレール３が移動できるようになっている。また枠体７の下面には、ＰＣ部材１１のワイヤー１２を引っ掛ける掛止片１３が設けられている。また吊りレール３の先端のウエブ１４両面には、スライド部材４の移動を緩衝する緩衝器１５が設置され、この緩衝器１５の緩衝板１６が枠体７に当接する位置に設けられている。また緩衝器１５前方のフランジ１０の下面には、スライド部材４を停止させるストッパ１７が設けられている。したがって、吊りレール３は、緩衝器１５で緩衝されつつ、ゆっくりと移動して、ストッパ１７で停止される。
【００１１】
また、吊りレール３の先端のウエブ１４には、床板１８のファスナー１９に接合するための接合板２０が設けられ、図２に示すように、この接合板２０がピン２１でファスナー１９に回転自在に接合されている。したがって、この接合板２０を中心に吊り治具１の後側を上げ下げすると、スライド部材４が吊りレール３を移動して、その移動が緩衝器１５で緩衝されるとともに、スットパ１７で停止される。
【００１２】
次に、この吊り治具１を使用したＰＣ部材の引き寄せ工法（以下引き寄せ工法という）の実施の形態について説明する。この実施の形態においてＰＣ部材１１は外壁パネル２２であるが、これに限定されるものではなく、その他のＰＣ部材であっても良い。
【００１３】
はじめに、外壁パネル２２をワイヤー１２でスライド部材４の掛止片１３に引っ掛ける。次に、この外壁パネル２２を引っ掛けた吊り治具１を、図３に示すように、吊りワイヤー５でクレーンのフック６に引っ掛けて吊り上げる。このときスライド部材４は吊りレール３の一番下側の中心部に位置するため、外壁パネル２２はバランスが取れた状態で吊り上げられて、躯体２３の外壁取り付け箇所に位置するようになる。そして、吊りレール３の先端の接合板２０を所定階の床板１８のファスナー１９に接合し、これを中心に回転できるようにする。
【００１４】
次に、図４に示すように、クレーンで吊り治具１の後側を持ち上げて回転させると、スライド部材４が吊りレール３を移動して、外壁パネル２２が躯体２３側に引き寄せられる。そして、このスライド部材４の移動が緩衝器１５で緩衝されつつ、ストッパ１７で停止されるので、外壁パネル２２が躯体２３の外壁取り付け箇所に位置して、取り付け可能になる（図２参照）。このように吊り治具１の後側を持ち上げるだけで、外壁パネル２２を躯体２３側に簡単に引き寄せることができる。
【図面の簡単な説明】
【００１５】
【図１】外壁パネルを吊り下げた吊り治具の斜視図である。
【図２】（１）は吊りレールの先端部を床板のファスナーに接合した断面図、（２）は（１）のＡ−Ａ線断面図である。
【図３】吊り治具の先端部を床板に接合した図である。
【図４】吊り治具の後側を持ち上げた図である。
【符号の説明】
【００１６】
１  吊り治具
２  連結材
３  吊りレール
４  スライド部材
５  吊りワイヤー
６  フック
７  枠体
８  側壁
９  ローラー
１０  フランジ
１１  ＰＣ部材
１２  ワイヤー
１３  掛止片
１４  ウエブ
１５  緩衝器
１６  緩衝板
１７  ストッパ
１８  床板
１９  ファスナー
２０  接合板
２１  ピン
２２  外壁パネル
２３  躯体
【図１】
2005299221.tif 000003
【図２】
2005299221.tif 000004
【図３】
2005299221.tif 000005
【図４】
2005299221.tif 000006